(57)【特許請求の範囲】
【請求項１】
使用者暗号、使用者氏名及び注文の種類が入力される入力部と、
使用者氏名、使用者暗号、当該使用者が属するグループ、注文の種類毎の使用者暗号入力の省略の可否情報を対応付けて記憶し、注文の種類毎にグループを組み合わせて記憶する記憶部と、
入力された使用者暗号が属するグループを検索し、入力された他の使用者氏名が入力された注文の種類について前記可否情報から使用者暗号入力を省略できる場合には前記他の使用者が属するグループを検索し、入力された注文の種類に対応するグループの組み合わせを選択し、前記選択されたグループの組み合わせの全てのグループを使用者暗号及び他の使用者氏名が入力されて検索された場合に、前記入力された注文を受け付ける制御部とを有することを特徴とする注文入力情報表示装置。
【請求項２】
使用者暗号、使用者氏名及び注文の種類が入力される入力部と、
使用者氏名、使用者暗号、当該使用者が属するグループ、注文の種類毎の代理人暗号を対応付けて記憶し、注文の種類毎にグループを組み合わせて記憶する記憶部と、
入力された使用者暗号が属するグループを検索し、入力された他の使用者氏名が入力された注文の種類について前記代理人暗号が既に入力された使用者暗号に等しい場合には前記他の使用者が属するグループを検索し、入力された注文の種類に対応するグループの組み合わせを選択し、前記選択されたグループの組み合わせの全てのグループを使用者暗号及び他の使用者氏名が入力されて検索された場合に、前記入力された注文を受け付ける制御部とを有することを特徴とする注文入力情報表示装置。
【請求項３】
請求項１又は請求項２記載の注文入力情報表示装置における制御方法であって、
入力部から使用者暗号、使用者氏名及び注文の種類が入力されると、制御部が、記憶部から注文の種類に対応するグループの組み合わせを選択し、前記選択されたグループの組み合わせの全てのグループを使用者暗号及び使用者氏名が入力されて検索されたかどうか判断し、前記全てのグループを使用者暗号及び使用者氏名が入力されて検索された場合に、前記入力された注文を受け付けることを特徴とする制御方法。
【請求項４】
使用者暗号、使用者氏名及び表示情報の種類が入力される入力部と、
使用者氏名、使用者暗号、当該使用者が属するグループ、表示情報の種類毎の使用者暗号入力の省略の可否情報を対応付けて記憶し、表示情報の種類毎にグループを組み合わせて記憶する記憶部と、
表示情報の内容を表示する表示部と、
入力された使用者暗号が属するグループを検索し、入力された他の使用者氏名が入力された表示情報の種類について前記可否情報から使用者暗号入力を省略できる場合には前記他の使用者が属するグループを検索し、入力された表示情報の種類に対応するグループの組み合わせを選択し、前記選択されたグループの組み合わせの全てのグループを使用者暗号及び他の使用者氏名が入力されて検索された場合に、前記入力された表示情報の内容を前記表示部に出力する制御部とを有することを特徴とする注文入力情報表示装置。
【請求項５】
使用者暗号、使用者氏名及び表示情報の種類が入力される入力部と、
使用者氏名、使用者暗号、当該使用者が属するグループ、表示情報の種類毎の代理人暗号を対応付けて記憶し、表示情報の種類毎にグループを組み合わせて記憶する記憶部と、
表示情報の内容を表示する表示部と、
入力された使用者暗号が属するグループを検索し、入力された他の使用者氏名が入力された表示情報の種類について前記代理人暗号が既に入力された使用者暗号に等しい場合には前記他の使用者が属するグループを検索し、入力された表示情報の種類に対応するグループの組み合わせを選択し、前記選択されたグループの組み合わせの全てのグループを使用者暗号及び他の使用者氏名が入力されて検索された場合に、前記入力された表示情報の内容を前記表示部に出力する制御部とを有することを特徴とする注文入力情報表示装置。
【請求項６】
請求項４又は請求項５記載の注文入力情報表示装置における制御方法であって、入力部から使用者暗号、使用者氏名及び表示情報の種類が入力されると、制御部が、記憶部から表示情報の種類に対応するグループの組み合わせを選択し、前記選択されたグループの組み合わせの全てのグループを使用者暗号及び使用者氏名が入力されて検索されたかどうか判断し、前記全てのグループを使用者暗号及び使用者氏名が入力されて検索された場合に、前記入力された表示情報の内容を表示部に出力することを特徴とする制御方法。
【発明の詳細な説明】
【０００１】
【発明の属する技術分野】
本発明は、渉外員が携帯する注文入力情報表示装置及びその制御方法に係り、特に、注文時の誤入力を防ぎ、また、渉外員による不正注文の受け付けを未然に防ぐことにより不正監視専任者を不要とし、更に、必要な情報を必要な人にのみ表示することができる注文入力情報表示装置及びその制御方法に関する。
【０００２】
【従来の技術】
注文入力情報表示装置は、客先で注文や解約等の各種契約を行う銀行や証券会社等の営業担当者（渉外員）が携帯する装置であり、注文の入力を受け付けて会社へ注文データを送信し、また、顧客への説明等に必要な情報を蓄積しておき、必要に応じて情報の表示を行うことができるものである。
【０００３】
通常、渉外員は、契約書と注文入力情報表示装置とを持ち歩いており、客先で、注文入力情報表示装置に必要な情報を表示させて顧客に説明を行い、また、契約が取れた場合には、顧客に契約書を記入してもらいながら、注文入力情報表示装置に必要なデータを入力しておき、帰社後に事務処理を行うようにしている。
【０００４】
ここで、従来の注文入力情報表示装置について簡単に説明する。
従来の注文入力情報表示装置は、当該装置を使用することができる使用者暗号が登録設定されており、使用者暗号を入力することにより、注文や情報表示の処理を行うようになっていた。通常は、各注文入力情報表示装置を携帯する渉外員の使用者暗号が登録されており、他の人は勝手に使用することができないようになっている。
【０００５】
そして、渉外員が注文入力表示装置に自分の使用者暗号と注文内容を入力すると、注文入力情報表示装置は、使用者暗号を読み取り、暗号がＯＫかどうかを判断し、ＯＫの場合には、入力された注文内容のデータを電話回線等を介して証券会社等へ送信するようになっていた。
【０００６】
また、渉外員が使用者暗号を入力して、表示させたい情報を指定した場合には、注文入力情報表示装置は、入力された暗号がＯＫであれば、記憶部に記憶されている情報を読み出して表示部に表示させるようになっていた。
【０００７】
【発明が解決しようとする課題】
しかしながら、上記従来の注文入力情報表示装置では、渉外員が契約内容を誤って入力した場合や、偽の注文契約等の不正なデータを入力した場合にも、使用者暗号が正しく入力されていれば、正規の契約として受け付けてしまうという問題点があった。
【０００８】
また、上記のような誤り及び不正を防ぐために、不正監視の専任者を常置して監視する必要があり、人件費が増大してしまうという問題点があった。
【０００９】
更に、上記従来の注文入力表示装置では、使用者暗号が登録されている渉外員は、真に必要な情報以外でも、注文入力情報表示装置に記憶されている情報を自由に表示させることができるので、情報が悪用される可能性があるという問題点があった。
【００１０】
また、使用者暗号が登録されている渉外員しか受け付けないので、使用者暗号を忘れてしまった場合に、他の渉外員がその注文入力表示装置を用いて情報表示させて商品説明を行う、といったことができず、不便であるという問題点があった。
【００１１】
本発明は上記実情に鑑みて為されたもので、注文時の誤入力を防ぎ、また、渉外員による不正注文の受け付けを未然に防ぐことにより不正監視専任者を不要とし、更に、必要な情報を必要な人にのみ表示することができる注文入力情報表示装置及びその制御方法を提供することを目的とする。
【００１６】
【課題を解決するための手段】
上記従来例の問題点を解決するための請求項１記載の発明は、注文入力情報表示装置において、使用者暗号、使用者氏名及び注文の種類が入力される入力部と、使用者氏名、使用者暗号、当該使用者が属するグループ、注文の種類毎の使用者暗号入力の省略の可否情報を対応付けて記憶し、注文の種類毎にグループを組み合わせて記憶する記憶部と、入力された使用者暗号が属するグループを検索し、入力された他の使用者氏名が入力された注文の種類について前記可否情報から使用者暗号入力を省略できる場合には前記他の使用者が属するグループを検索し、入力された注文の種類に対応するグループの組み合わせを選択し、前記選択されたグループの組み合わせの全てのグループを使用者暗号及び他の使用者氏名が入力されて検索された場合に、前記入力された注文を受け付ける制御部とを有することを特徴としており、営業担当者の不正行為を防止でき、従って不正監視専任者を不要とすることができ、更に特定使用者における特定注文の種類で使用者暗号入力省略可とすることで、状況に応じて柔軟に注文を受け付けることができる。
【００１７】
上記従来例の問題点を解決するための請求項２記載の発明は、注文入力情報表示装置において、使用者暗号、使用者氏名及び注文の種類が入力される入力部と、使用者氏名、使用者暗号、当該使用者が属するグループ、注文の種類毎の代理人暗号を対応付けて記憶し、注文の種類毎にグループを組み合わせて記憶する記憶部と、入力された使用者暗号が属するグループを検索し、入力された他の使用者氏名が入力された注文の種類について前記代理人暗号が既に入力された使用者暗号に等しい場合には前記他の使用者が属するグループを検索し、入力された注文の種類に対応するグループの組み合わせを選択し、前記選択されたグループの組み合わせの全てのグループを使用者暗号及び他の使用者氏名が入力されて検索された場合に、前記入力された注文を受け付ける制御部とを有することを特徴としており、営業担当者の不正行為を防止でき、従って不正監視専任者を不要とすることができ、更に特定使用者における特定注文の種類で入力された使用者を代理人とすることで、状況に応じて柔軟に注文を受け付けることができる。
【００１８】
上記従来例の問題点を解決するための請求項３記載の発明は、請求項１又は請求項２記載の注文入力情報表示装置の制御方法において、入力部から使用者暗号、使用者氏名及び注文の種類が入力されると、制御部が、記憶部から注文の種類に対応するグループの組み合わせを選択し、前記選択されたグループの組み合わせの全てのグループを使用者暗号及び使用者氏名が入力されて検索されたかどうか判断し、前記全てのグループを使用者暗号及び使用者氏名が入力されて検索された場合に、前記入力された注文を受け付けることを特徴としており、営業担当者の不正行為を防止でき、従って不正監視専任者を不要とすることができ、更に特定使用者における特定注文の種類で使用者暗号入力省略可とすることで、また特定使用者における特定注文の種類で入力された使用者を代理人とすることで、状況に応じて柔軟に注文を受け付けることができる。
【００１９】
上記従来例の問題点を解決するための請求項４記載の発明は、注文入力情報表示装置において、使用者暗号、使用者氏名及び表示情報の種類が入力される入力部と、使用者氏名、使用者暗号、当該使用者が属するグループ、表示情報の種類毎の使用者暗号入力の省略の可否情報を対応付けて記憶し、表示情報の種類毎にグループを組み合わせて記憶する記憶部と、表示情報の内容を表示する表示部と、入力された使用者暗号が属するグループを検索し、入力された他の使用者氏名が入力された表示情報の種類について前記可否情報から使用者暗号入力を省略できる場合には前記他の使用者が属するグループを検索し、入力された表示情報の種類に対応するグループの組み合わせを選択し、前記選択されたグループの組み合わせの全てのグループを使用者暗号及び他の使用者氏名が入力されて検索された場合に、前記入力された表示情報の内容を前記表示部に出力する制御部とを有することを特徴としており、不必要な情報を表示させることがなく、従って装置内の情報を悪用されるおそれがなく、更に特定使用者における特定表示情報の種類で使用者暗号入力省略可とすることで、状況に応じて柔軟に表示情報の内容を表示させることができる。
【００２０】
上記従来例の問題点を解決するための請求項５記載の発明は、注文入力情報表示装置において、使用者暗号、使用者氏名及び表示情報の種類が入力される入力部と、使用者氏名、使用者暗号、当該使用者が属するグループ、表示情報の種類毎の代理人暗号を対応付けて記憶し、表示情報の種類毎にグループを組み合わせて記憶する記憶部と、表示情報の内容を表示する表示部と、入力された使用者暗号が属するグループを検索し、入力された他の使用者氏名が入力された表示情報の種類について前記代理人暗号が既に入力された使用者暗号に等しい場合には前記他の使用者が属するグループを検索し、入力された表示情報の種類に対応するグループの組み合わせを選択し、前記選択されたグループの組み合わせの全てのグループを使用者暗号及び他の使用者氏名が入力されて検索された場合に、前記入力された表示情報の内容を前記表示部に出力する制御部とを有することを特徴としており、不必要な情報を表示させることがなく、従って装置内の情報を悪用されるおそれがなく、更に特定使用者における特定表示情報の種類で入力された使用者を代理人とすることで、状況に応じて柔軟に表示情報の内容を表示させることができる。
【００２１】
上記従来例の問題点を解決するための請求項６記載の発明は、請求項４又は請求項５記載の注文入力情報表示装置の制御方法において、入力部から使用者暗号、使用者氏名及び表示情報の種類が入力されると、制御部が、記憶部から表示情報の種類に対応するグループの組み合わせを選択し、前記選択されたグループの組み合わせの全てのグループを使用者暗号及び使用者氏名が入力されて検索されたかどうか判断し、前記全てのグループを使用者暗号及び使用者氏名が入力されて検索された場合に、前記入力された表示情報の内容を表示部に出力することを特徴としており、不必要な情報を表示させることがなく、従って装置内の情報を悪用されるおそれがなく、更に特定使用者における特定表示情報の種類で使用者暗号入力省略可とすることで、また特定使用者における特定表示情報の種類で入力された使用者を代理人とすることで、状況に応じて柔軟に表示情報の内容を表示させることができる。
【００２２】
【発明の実施の形態】
本発明の実施の形態について図面を参照しながら説明する。
図１は、本発明の実施の形態（第１の実施の形態）に係る注文入力情報表示装置の構成ブロック図である。
本発明の第１の実施の形態に係る注文入力情報表示装置は、１又は複数入力された使用者暗号が属する１又は複数のグループと注文の種類又は表示情報の種類に対応するグループの組み合わせの全てのグループ（必要グループ）が一致した時のみ、注文を有効に受け付け、または、表示情報の内容を表示するものであり、使用者の不正・悪用を防止できるものである。
【００２３】
第１の実施の形態の注文入力情報表示装置は、図１に示すように、全体の制御を行う制御部１１と、各種必要事項を入力する入力部１２と、処理に必要なプログラム，テーブル及びその他情報を記憶する記憶部１３と、注文内容を会社の大型コンピュータ等に送信する送信部１４と、銀行・証券情報を表示する表示部１５とから構成されている。
【００２４】
次に、第１の実施の形態の注文入力情報表示装置の各部について具体的に説明する。
制御部１１は、各部に対する入出力制御を行い、記憶部１３に格納されたプログラムを読み込んで記憶部１３内の各テーブルを用いて注文処理又は表示処理を実行するものである。この注文処理と表示処理については後述する。
【００２５】
入力部１２は、注文の種類又は表示情報の種類（両者を単に「種類」と呼ぶ）と、営業担当者、顧客、連帯保証人等の使用者の使用者暗号と、注文の内容と、注文内容を送信する指示とが入力される入力部である。入力部１２として用いられる装置は、キーボード等の入力装置又はメモリカード等の記憶装置によって入力を行うことができる。つまり、使用者暗号をメモリカードで読み取らせて入力させることもできる。
【００２６】
記憶部１３は、注文処理及び表示処理を実現するプログラムを格納し、更に、グループ条件テーブル１３ａと暗号／グループテーブル１３ｂを保有するものである。また、記憶部１３は、各種注文内容のフォーマット及び表示情報の内容をも記憶している。
【００２７】
ここで、記憶部１３内のグループ条件テーブル１３ａについて図２を使って説明する。図２は、グループ条件テーブルの説明図である。グループ条件テーブル１３ａは、注文処理を行うためのテーブルと表示処理を行うためのテーブルとの２種類から構成されているが、両テーブルの構成は共通であるので、図２に示す１つのテーブルで説明することにする。
【００２８】
グループ条件テーブル１３ａは、図２に示すように、「種類」の項目と「必要グループ」の項目とが対応付けられているテーブルとなっている。「種類」とは、注文の種類又は表示情報の種類を示すものであり、「必要グループ」とは、その種類に対応した使用者のグループの組み合わせを示すもので、具体的には、使用者のグループとして「営業担当者グループ」「顧客グループ」「連帯保証人グループ」等が考えられる。図２の例では、種類Ｘに使用者のグループＡ，Ｂ，Ｃが対応し、種類Ｙに使用者のグループＡ，Ｂが対応している。
【００２９】
つまり、グループ条件テーブル１３ａは、注文の種類毎に又は表示情報の種類毎に入力が必要なグループ（必要グループ）を組み合わせて規定したものであり、種類毎の必要グループにおける各グループの使用者の暗号がそれぞれ入力された時のみ注文を正常に受け付け又は表示を行うようにしている。
【００３０】
次に、記憶部１３内の暗号／グループテーブル１３ｂについて図３を使って説明する。図３は、暗号／グループテーブルの説明図である。暗号／グループテーブル１３ｂは、注文処理を行うためのテーブルと表示処理を行うためのテーブルとの２種類から構成されているが、両テーブルの構成は共通であるので、図３に示す１つのテーブルで説明することにする。
【００３１】
暗号／グループテーブル１３ｂは、図３に示すように、「使用者暗号」の項目と「グループ」の項目とが対応付けられているテーブルとなっている。つまり、「使用者暗号」に基づいて使用者が所属するグループを規定するものである。
図３の例では、使用者暗号ａはグループＡに属し、使用者暗号ｂはグループＢに属し、使用者暗号ｃはグループＣに属している。また、使用者暗号ｉがグループＡに属することもある。
【００３２】
つまり、暗号／グループテーブル１３ｂは、入力部１２から使用者暗号が入力されると、その使用者暗号に対応するグループを特定（使用者が属するグループを特定）するものであり、１つ又は複数入力された使用者暗号から特定された１つ又は複数のグループが、グループ条件テーブル１３ａにおいて入力された種類に対応するグループと一致するかどうか判断し、一致する場合にのみ注文を正常に受け付け又は情報表示を行うようにしている。
【００３３】
送信部１４は、モデム等から構成され、入力部１２からの指示により、適正に入力された注文の内容を電話回線を介して会社の大型コンピュータに送信するものである。
表示部１５は、適正に指定された表示情報を表示する表示部である。
【００３４】
次に、第１の実施の形態の注文入力情報表示装置の動作を簡単に説明する。
まず、第１の実施の形態の注文入力情報表示装置の入力部１２から注文の種類（表示情報の種類）が入力され、続いて入力部１２から使用者暗号が入力されると、制御部１１は、記憶部１３の暗号／グループテーブル１３ｂを参照して入力された使用者暗号が属するグループを検索し、次にグループ条件テーブル１３ａを参照して入力された注文の種類（表示情報の種類）に対応する必要グループを検索し、両グループが一致した場合にのみ入力された注文を正常に受け付け、または、表示情報の入力が正常であるとして表示情報の内容を表示部１５に表示するものである。
【００３５】
注文が正常に受け付けられると、制御部１１は、記憶部１３から注文内容のフォーマットを読み出して表示部１５に表示させ、使用者がその画面を見ながら、注文内容を入力部１２から入力し、記憶部１３にその内容を記憶させ、更に入力部１２からの指示で注文内容を送信部１４から送信することができるようになっている。
【００３６】
また、表示情報の内容の表示は、制御部１１が、入力が正常である時に記憶部１３からその表示情報に関する内容を読み出して表示部１５に出力し、表示部１５がその内容を表示するものである。
【００３７】
第１の実施の形態の注文入力情報表示装置における注文処理の制御方法について図４を使って説明する。図４は、第１の実施の形態の注文入力情報表示装置における注文処理の制御方法を示すフローチャート図である。
第１の実施の形態の注文入力情報表示装置における注文処理は、まず入力部１２から注文の種類を入力し（１００）、次に使用者暗号を入力し（１０１）、記憶部１３内の注文処理に関する暗号／グループテーブル１３ｂを参照して入力された使用者暗号のグループを検索し（１０２）、注文に必要なグループの使用者暗号が全て入力されたかを判断し（１０３）、必要なグループの使用者暗号が全て入力されていない場合は、処理１０１に戻って次の使用者暗号を入力する。
【００３８】
一方、処理１０３において、必要なグループの使用者暗号が全て入力された場合は、注文の内容を入力し（１０４）、注文の内容を送信し（１０５）、注文処理を終了する。
尚、処理１０３において、注文に必要なグループの使用者暗号が全て入力されたかの判断は、記憶部１３内の注文処理に関するグループ条件テーブル１３ａを参照して判断する。
【００３９】
第１の実施の形態の注文入力情報表示装置における表示処理の制御方法について図５を使って説明する。図５は、第１の実施の形態の注文入力情報表示装置における表示処理の制御方法を示すフローチャート図である。
第１の実施の形態の注文入力情報表示装置における表示処理は、まず入力部１２から表示する情報（表示情報の種類）を指定し（２００）、次に使用者暗号を入力し（２０１）、記憶部１３内の表示処理に関する暗号／グループテーブル１３ｂを参照して入力された使用者暗号のグループを検索し（２０２）、情報の表示に必要なグループの使用者暗号が全て入力されたかを判断し（２０３）、必要なグループの使用者暗号が全て入力されていない場合は、処理２０１に戻って次の使用者暗号を入力する。
【００４０】
一方、処理２０３において、必要なグループの使用者暗号が全て入力された場合は、指定された情報を表示して（２０４）、表示処理を終了する。
尚、処理２０３において、情報の表示に必要なグループの使用者暗号が全て入力されたかの判断は、記憶部１３内の表示処理に関するグループ条件テーブル１３ａを参照して判断する。
【００４１】
第１の実施の形態の注文入力情報表示装置及びその注文処理の制御方法によれば、注文の種類に対応した必要グループと入力された使用者暗号が属するグループとが一致した時にのみ注文を正常に受け付けるようにしているので、使用者が誤った注文の種類を選択しても正常に受け付けられないため、注文内容の誤入力を防止でき、また営業担当者が不正に注文を出そうとしても顧客（及び連帯保証人）のグループに属する顧客（及び連帯保証人）から使用者暗号が入力されなければ注文を正常に受け付けないため、営業担当者の不正行為を防止でき、従って不正監視専任者を不要とすることができる効果がある。
【００４２】
第１の実施の形態の注文入力情報表示装置及びその表示処理の制御方法によれば、表示情報の種類に対応した必要グループと入力された使用者暗号が属するグループとが一致した時にのみその情報の内容を表示するようにしているので、不必要な情報を表示させることがなく、従って装置内の情報を悪用されるおそれがなく、信頼性を向上させることができる効果がある。
【００４３】
また、第１の実施の形態の注文入力情報表示装置によれば、複数の営業担当者のそれぞれの使用者暗号を営業担当者グループに属するように記憶部１３内の暗号／グループテーブルで管理するようにすれば、第１の実施例の注文入力情報表示装置をそのグループに属する営業担当が持ち歩くことができ、融通性を有するという効果がある。
【００４４】
次に、第２の実施の形態の注文入力情報表示装置について説明する。
第２の実施の形態の注文入力情報表示装置は、使用者毎に注文の種類又は表示情報の種類に対応して、使用者暗号の省略又は代理人を設定可能とし、必要グループの全ての使用者暗号が入力できない場合でも、使用者暗号入力を省略したり、または使用者が代理人と認められれば、注文を有効に受け付け、または表示情報の内容を表示するものであり、使用者の不正・悪用を防止でき、且つ状況に応じた融通性を兼ね備え、従来のシステムからスムーズに移行することができるものである。
【００４５】
第２の実施の形態の注文入力情報表示装置は、図１に示した第１の実施の形態の注文入力情報表示装置と基本的には同様の構成であり、記憶部１３におけるテーブルの構成と、制御部１１における制御方法とが異なっている。
第１の実施の形態の注文入力情報表示装置と同様である入力部１２と、送信部１４と、表示部１５についてはここでは説明を省略し、異なる部分について説明する。
【００４６】
第２の実施の形態の制御部１１は、第１の実施例の制御部１１とほぼ同様に、各部に対する入出力制御を行い、記憶部１３に格納されたプログラムを読み込んで記憶部１３内の各テーブルを用いて注文処理又は表示処理を実行し、更に各使用者毎に使用者暗号と省略又は代理人を設定する設定処理を行うものであり、但し、注文処理と表示処理の内容も第１の実施例とは異なっている。第２の実施の形態の制御部１１の設定処理と注文処理と表示処理の内容については後述する。
【００４７】
第２の実施の形態の記憶部１３は、設定処理、注文処理及び表示処理を実現するプログラムを格納し、更に、グループ条件テーブル１３ａと暗号／グループテーブル１３ｂ′を保有するものである。また、記憶部１３は、各種注文内容のフォーマット及び表示情報の内容をも記憶している。
そして、記憶部１３内のグループ条件テーブル１３ａは、図２に示した第１の実施例のグループ条件テーブル１３ａと全く同様であるので、ここでは説明を省略する。
【００４８】
次に、第２の実施の形態の記憶部１３内の暗号／グループテーブル１３ｂ′について図６を使って説明する。図６は、暗号／グループテーブルの説明図である。暗号／グループテーブル１３ｂ′は、注文処理を行うためのテーブルと表示処理を行うためのテーブルとの２種類から構成されているが、両テーブルの構成は共通であるので、図６に示す１つのテーブルで説明することにする。
【００４９】
第２の実施の形態の暗号／グループテーブル１３ｂ′は、図６に示すように、「使用者氏名」に対して、「使用者暗号」と「グループ」と「代理人又は省略」の項目とが対応付けられているテーブルとなっている。
ここで、「代理人又は省略」の項目は、注文の種類又は表示情報の種類（両者を単に「種類」と呼ぶ）毎に、省略可能を示す”省略”が設定されるか、又は代理人可能を示す代理人の使用者暗号が設定されるか、或いは省略も代理人も不可能という場合は何も設定されないようになっている。
【００５０】
図６の例では、使用者氏名アは使用者暗号がａ１で、グループＡに属し、種類１では代理人（代理人使用者暗号ｂ１）を認め、種類２では使用者暗号の省略を可能とし、種類３では省略も代理人も不可能として設定されている。
また、使用者氏名イは使用者暗号がａ２で、グループＡに属し、種類１では使用者暗号の省略を可能とし、種類２では省略も代理人も不可能とし、種類３では代理人（代理人使用者暗号ｂ２）を認めるように設定されている。
また、使用者氏名ウは使用者暗号がｂ１で、グループＢに属し、種類１、種類２で代理人（代理人使用者暗号ｃ１）を認めるように設定されている。
【００５１】
つまり、暗号／グループテーブル１３ｂ′は、入力部１２からまず種類が入力され、更に使用者暗号が入力されると、その使用者暗号に対応するグループを特定（使用者が属するグループを特定）する。そして、更に入力部１２から使用者暗号が入力できないような場合に、使用者氏名が入力されると、使用者氏名と種類に対応する「代理人又は省略」項目が設定されていれば、その設定に従って省略とするか又は代理人の使用者暗号入力でその使用者氏名に対応するグループを特定する。以上のような処理で特定された１つ又は複数のグループが、グループ条件テーブル１３ａにおいて入力された種類に対応するグループと一致するかどうか判断し、一致する場合にのみ注文を正常に受け付け又は情報表示を行うようにしている。
【００５２】
尚、「使用者氏名」に対する「使用者暗号」、「グループ」、「代理人又は省略」の各項目の設定及び変更は、制御部１１の設定処理の動作に従って、原則的には使用者本人によって行われるものである。特に代理人の設定については、使用者によって使用者暗号が入力され、適正な使用者によって代理人氏名が入力されると、制御部１１が暗号／グループテーブル１３ｂ′の「使用者氏名」を検索し、対応する「使用者暗号」を代理人の使用者暗号として「代理人又は省略」の項目に設定するようになっている。また、制御部１１の設定処理において、「使用者暗号」が変更された場合は、変更前の使用者暗号を全使用者の中で検索し、新しい使用者暗号に変更するようになっている。
【００５３】
次に、第２の実施の形態の注文入力情報表示装置の動作を簡単に説明する。
まず、第２の実施の形態の注文入力情報表示装置の入力部１２から注文の種類（表示情報の種類）が入力され、続いて入力部１２から使用者暗号が入力されると、制御部１１は、記憶部１３の暗号／グループテーブル１３ｂ′を参照して入力された使用者暗号が属するグループを検索し、次にグループ条件テーブル１３ａを参照して入力された注文の種類（表示情報の種類）に対応する必要グループを検索し、そのグループをＯＫとし、入力された使用者暗号を一時記憶する。
【００５４】
また、入力部１２から使用者氏名が入力されると、制御部１１は、記憶部１３の暗号／グループテーブル１３ｂ′を参照し、注文の種類（表示情報の種類）に対応する「代理人又は省略」の項目が設定されているかを検索し、”省略”が設定されていればその使用者氏名が属するグループをＯＫとする。
一方、「代理人又は省略」の項目に代理人の使用者暗号が設定されている場合は、その代理人の使用者暗号がすでに入力されて一時記憶されている使用者暗号に一致するかをチェックし、一致する場合は、入力された使用者氏名が属するグループをＯＫとする。
【００５５】
そして、制御部１１は、上記の動作の後に再度、グループ条件テーブル１３ａを参照して、入力された注文の種類（表示情報の種類）に対応する必要グループを検索し、設定されている全ての必要グループがＯＫとなった場合にのみ入力された注文を正常に受け付け、または、表示情報の入力が正常であるとして表示情報の内容を表示部１５に表示するものである。
尚、その後の動作は第１の実施の形態と全く同様であるので、説明を省略する。
【００５６】
次に、第２の実施の形態の注文入力情報表示装置における注文処理の制御方法について図７、図８を使って説明する。図７は、第２の実施の形態の注文入力情報表示装置における注文処理の制御方法を示すフローチャート図であり、図８は、第２の実施の形態の注文入力情報表示装置における省略・代理人処理の制御方法を示すフローチャート図である。
【００５７】
第２の実施の形態の注文入力情報表示装置における注文処理は、まず入力部１２から注文の種類を入力し（３００）、次に使用者暗号又は使用者氏名を入力し（３０２）、入力したものが使用者暗号であるかを判断する（３０４）。
【００５８】
そして、入力したものが使用者暗号である場合は、記憶部１３内の注文処理に関する暗号／グループテーブル１３ｂ′を参照して、入力された使用者暗号のグループを検索し、そのグループをＯＫとし（３１０）、入力された使用者暗号を一時記憶する（３１２）。
【００５９】
そして、注文に必要なグループが全てＯＫになったを判断し（３２０）、必要なグループが全てＯＫではない場合は、処理３０２に戻って次の使用者暗号又は使用者氏名を入力し、一方、処理３２０において、必要なグループが全てＯＫになった場合は、注文の内容を入力し（３２２）、注文の内容を送信し（３２４）、注文処理を終了する。
尚、処理３２０において、注文に必要なグループが全てＯＫになったかの判断は、記憶部１３内の注文処理に関するグループ条件テーブル１３ａを参照し、全てのグループがＯＫと設定されているかどうかで判断するものである。
【００６０】
また、処理３０４において、入力したものが使用者暗号でない（つまり、使用者氏名である）場合は、省略・代理人処理を行い（３３０）、処理３２０に飛ぶ。
【００６１】
処理３３０の省略・代理人処理の内容は、図８に示すように、記憶部１３内の注文処理に関する暗号／グループテーブル１３ｂ′を参照して、入力された使用者氏名の注文の種類に対応する「代理人又は省略」の項目に”省略”が設定されているか判断し（４００）、”省略”が設定されていない場合は、代理人の使用者暗号が設定されているかを判断する（４０２）。
また、処理４００において、”省略”が設定されている場合は、処理４０６に飛ぶ。
【００６２】
そして、代理人の使用者暗号が設定されている場合は、その使用者暗号が既に入力されたかを判断し（４０４）、既に入力された場合は、使用者氏名が属するグループをＯＫにして（４０６）、省略・代理人処理を終了する。
【００６３】
一方、処理４０２において、代理人の使用者暗号が設定されていない、つまり「代理人又は省略」の項目に何も設定されていない場合、及び、処理４０４において設定されている代理人の使用者暗号が未だ入力されていない場合は、そのまま省略・代理人処理を終了する。
【００６４】
次に、第２の実施の形態の注文入力情報表示装置における表示処理の制御方法について図９を使って説明する。図９は、第２の実施の形態の注文入力情報表示装置における表示処理の制御方法を示すフローチャート図である。
第２の実施の形態の注文入力情報表示装置における表示処理は、まず入力部１２から表示する情報（表示情報の種類）を指定し（５００）、以降処理５０２〜処理５１２、及び処理５３０は図７に示した注文処理の処理３０２〜処理３１２、及び処理３３０とほぼ同様であり、処理５２０において表示に必要なグループが全てＯＫになった場合は、指定された情報を表示して（５２２）、表示処理を終了する。
【００６５】
尚、処理５１０において参照するのは記憶部１３内の表示処理に関する暗号／グループテーブル１３ｂ′であり、また処理５２０において、表示に必要なグループが全てＯＫになったかの判断は、記憶部１３内の表示処理に関するグループ条件テーブル１３ａを参照して判断する点が注文処理のフローチャートと異なっている。
【００６６】
第２の実施の形態の注文入力情報表示装置及びその注文処理の制御方法によれば、注文の種類に対応した必要グループと、入力された使用者暗号が属するグループ及び入力された他の使用者氏名における注文の種類で使用者暗号入力の“省略”が設定されている場合にはその他の使用者が属するグループとが一致した時にのみ注文を正常に受け付けるようにしているので、使用者が誤った注文の種類を選択しても正常に受け付けられないため、注文内容の誤入力を防止でき、また営業担当者が不正に注文を出そうとしても顧客（及び連帯保証人）のグループに属する顧客（及び連帯保証人）から使用者暗号が入力されなければ注文を正常に受け付けないため、営業担当者の不正行為を防止でき、従って不正監視専任者を不要とすることができる効果があり、また、注文の種類に応じて使用者暗号の入力を省略できるようにすることで、注文入力情報表示装置での使用に柔軟性を持たせることができる効果がある。
【００６７】
また、第２の実施の形態の注文入力情報表示装置及びその注文処理の制御方法によれば、注文の種類に対応した必要グループと、入力された使用者暗号が属するグループ及び入力された他の使用者氏名における注文の種類で代理人暗号が設定されている場合にはその代理人暗号と既に入力された使用者暗号が等しい時のその他の使用者が属するグループとが一致した時にのみ注文を正常に受け付けるようにしているので、注文内容の誤入力を防止でき、使用者の不正行為を防止できる効果があり、また、注文の種類に応じて代理人の使用者暗号を設定して代理できるようにすることで、注文入力情報表示装置での使用に柔軟性を持たせることができる効果がある。
【００６８】
第２の実施の形態の注文入力情報表示装置及びその表示処理の制御方法によれば、表示情報の種類に対応した必要グループと、入力された使用者暗号が属するグループ及び入力された他の使用者氏名における注文の種類で使用者暗号入力の“省略”が設定されている場合にはその他の使用者が属するグループとが一致した時にのみその情報の内容を表示するようにしているので、不必要な情報を表示させることがなく、従って装置内の情報を悪用されるおそれがなく、信頼性を向上させることができる効果があり、また、情報表示の種類に応じて使用者暗号の入力を省略できるようにすることで、注文入力情報表示装置での使用に柔軟性を持たせることができる効果がある。
【００６９】
また、第２の実施の形態の注文入力情報表示装置及びその表示処理の制御方法によれば、表示情報の種類に対応した必要グループと、入力された使用者暗号が属するグループ及び入力された他の使用者氏名における情報表示の種類で代理人暗号が設定されている場合にはその代理人暗号と既に入力された使用者暗号が等しい時のその他の使用者が属するグループとが一致した時にのみその情報の内容を表示するようにしているので、装置内の情報を悪用されるおそれがなく、信頼性を向上させることができる効果があり、また、情報表示の種類に応じて代理人の使用者暗号を設定して代理できるようにすることで、注文入力情報表示装置での使用に柔軟性を持たせることができる効果がある。
【００７０】
また、第２の実施の形態の注文入力情報表示装置においても、複数の営業担当者のそれぞれの使用者暗号を営業担当者グループに属するように記憶部１３内の暗号／グループテーブルで管理するようにすれば、第２の実施の形態の注文入力情報表示装置をそのグループに属する営業担当が持ち歩くことができ、融通性を有するという効果がある。
【００７３】
【発明の効果】
請求項１，３記載の発明によれば、注文の種類に対応したグループの組み合わせの全てのグループが選択され、入力された使用者暗号が属するグループ及び入力された他の使用者氏名における注文の種類での使用者暗号入力省略可である場合にその他の使用者氏名が属するグループと選択された全てのグループとが一致した時に注文を正常に受け付ける注文入力情報表示装置及びその制御方法としているので、営業担当者の不正行為を防止でき、従って不正監視専任者を不要とすることができ、更に特定使用者における特定注文の種類で使用者暗号入力省略可とすることで、状況に応じて柔軟に注文を受け付けることができる効果がある。
【００７４】
請求項２，３記載の発明によれば、注文の種類に対応したグループの組み合わせの全てのグループが選択され、入力された使用者暗号が属するグループ及び入力された他の使用者氏名における注文の種類での代理人暗号と既に入力された使用者暗号とが等しい場合であってその他の使用者氏名が属するグループと選択された全てのグループとが一致した時に注文を正常に受け付ける注文入力情報表示装置及びその制御方法としているので、営業担当者の不正行為を防止でき、従って不正監視専任者を不要とすることができ、更に特定使用者における特定注文の種類で入力された使用者を代理人とすることで、状況に応じて柔軟に注文を受け付けることができる効果がある。
【００７５】
請求項４，６記載の発明によれば、表示情報の種類に対応したグループの組み合わせ全てのグループが選択され、入力された使用者暗号が属するグループ及び入力された他の使用者氏名における注文の種類での使用者暗号入力省略可である場合にその他の使用者氏名が属するグループと選択された全てのグループとが一致した時に表示情報の内容を表示する注文入力情報表示装置及びその制御方法としているので、不必要な情報を表示させることがなく、従って装置内の情報を悪用されるおそれがなく、更に特定使用者における特定表示情報の種類で使用者暗号入力省略可とすることで、状況に応じて柔軟に表示情報の内容を表示させることができる効果がある。
【００７６】
請求項５，６記載の発明によれば、表示情報の種類に対応したグループの組み合わせ全てのグループが選択され、入力された使用者暗号が属するグループ及び入力された他の使用者氏名における表示情報の種類での代理人暗号と既に入力された使用者暗号が等しい場合であってその他の使用者氏名が属するグループと選択された全てのグレープとが一致した時に表示情報の内容を表示する注文入力情報表示装置及びその制御方法としているので、不必要な情報を表示させることがなく、従って装置内の情報を悪用されるおそれがなく、更に特定使用者における特定表示情報の種類で入力された使用者を代理人とすることで、状況に応じて柔軟に表示情報の内容を表示させることができる効果がある。
【図面の簡単な説明】
【図１】本発明の実施の形態に係る注文入力情報表示装置の構成ブロック図である。
【図２】第１の実施の形態のグループ条件テーブルの説明図である。
【図３】第１の実施の形態の暗号／グループテーブルの説明図である。
【図４】第１の実施の形態の注文入力情報表示装置における注文処理の制御方法を示すフローチャート図である。
【図５】第１の実施の形態の注文入力情報表示装置における表示処理の制御方法を示すフローチャート図である。
【図６】第２の実施の形態の暗号／グループテーブルの説明図である。
【図７】第２の実施の形態の注文入力情報表示装置における注文処理の制御方法を示すフローチャート図である。
【図８】第２の実施の形態の注文入力情報表示装置における省略・代理人処理の制御方法を示すフローチャート図である。
【図９】第２の実施の形態の注文入力情報表示装置における表示処理の制御方法を示すフローチャート図である。
【符号の説明】
１１…制御部、  １２…入力部、  １３…記憶部、  １３ａ…グループ条件テーブル、  １３ｂ，１３ｂ′…暗号／グループテーブル、  １４…送信部、  １５…表示部
【図１】
0003681797.tif 000002
【図２】
0003681797.tif 000003
【図３】
0003681797.tif 000004
【図４】
0003681797.tif 000005
【図５】
0003681797.tif 000006
【図６】
0003681797.tif 000007
【図７】
0003681797.tif 000008
【図８】
0003681797.tif 000009
【図９】
0003681797.tif 000010